(57)【要約】      （修正有）【課題】大気圧と毛管現象を利用することにより省エネルギーで安全な加湿器を提供する。【解決手段】水受器７内の水に親水性の微細間隙を有するシート８の下端を浸し、シートの上方を空気中に配置することにより、空気の乾燥度に応じてシートから蒸発する水分を補給する為に、着脱可能な水の出口と入口が直角方向に配置された曲管を、上方の開口部に接合した水容器５を水受器内に倒立支持することを特徴とする。【選択図】図５
0003186435.tif 000002
【実用新案登録請求の範囲】
【請求項１】
上方に配置された１個の開口部を有し、内部の水量が外部から目視で分る水容器の開口部に、ネジなど水が漏れない方法で着脱可能な水入口と直角方向に配置された水出口を有する曲管及び、曲管を接合した水容器を倒立支持する倒立支持具及び、曲管を通して水容器から流出する水を受ける水受器及び、親水性素材からなる微細間隙を有するシートの下端を水受器内の水に浸しそのシートの上方を空気中に配置する水蒸発具からなる加湿器。
【考案の詳細な説明】
【技術分野】
【０００１】
本考案は大気圧の利用により電力など動力の必要なく水を供給し、水の毛管現象により水が浸透する親水性素材からなる微細間隙を有するシートから室内空気の乾燥度に応じて水が蒸発することにより、乾燥室内を加湿する加湿器に関する。
【背景技術】
【０００２】
従来、乾燥室内を加湿する装置は電力などの動力を使い超音波などで水のミストを発生させ室内へ放出する加湿装置がある。
【０００３】
また、水にぬれたタオルなどの布を室内に吊り下げることによっても室内が加湿されることもよく知られている。
【０００４】
水に湿ったぬれタオルなどはタオルに付着した水が乾燥してしまえば、それ以降乾燥室内を加湿することは出来ない。
また、ミストを発生させて加湿する加湿装置は電力が必要であり、超音波発生器、ミスト放出装置など装置が複雑である。
【０００５】
従来、大気圧を利用して水を供給する装置としては、鳥の水飲み器が知られている。鳥の水飲み器は、水容器の下部に水飲み口が固着されており、その水飲み口から水を補給しなければならず、水がこぼれたりして水の補給が難しい。
【考案の概要】
【考案が解決しようとする課題】
【０００６】
本考案は前記従来技術の問題点を解決すべく、従来技術に比較して操作が容易な大気圧と水の毛管現象を利用した加湿器を提供することである。
【課題を解決するための手段】
【０００７】
本考案は大気圧と水の毛管現象を利用することにより、前述した技術的課題を解決する為以下のような構成からなる。即ち、開口部を上方に有する水容器の開口部に、ネジなどの水が漏れない接合方法により着脱可能な水入口と直角方向に配置された水出口を有する曲管、及び曲管を接合した水容器を倒立支持する倒立支持具、及び曲管から流出する水を溜める水受器及び、綿布など親水性素材からなる微細間隙を有するシートの下端を水受器内の水に浸し、そのシートの上方を空気中に配置する水蒸発具からなる加湿器である。
【０００８】
水容器はペットボトル等のプラスティック容器、ガラス瓶等その内部の水の量が外部から目視で分る上部に開口部を有する容器であり、開口部はネジ等の接合手段で曲管と着脱可能な構造を有するものである。
【０００９】
曲管はネジ等の接合手段で水容器に着脱可能で水入口と水出口が直角方向に配置されたものである。
【００１０】
倒立支持具は、曲管を接合した水容器をバンド等の固定具により固定する支柱とその支柱を垂直に立てる支持台からなる。又、倒立支持具は水が入った曲管付水容器を倒立支持する強度と構造を有するものである。
【００１１】
水受器は曲管の水出口が水封可能な深さであり、その内部の水の表面が大気に接する構造であればよい。
【００１２】
水蒸発具は綿布など水の毛管現象により水が浸透する親水性素材からなる微細間隙を有するシートの下端を水受器内の水に浸し、シートの上方を室内の空気にさらし、室内空気の乾燥度合いにより水を蒸発させるものであり、シート及びシートを支持するシート支持具からなる。
【００１３】
シートは水を含んだ状態で空気にさらされているから、空気中の細菌が付着して繁殖し易いから、銀イオン等による制菌加工をした素材にするのも有効である。
【００１４】
本考案は上記水容器にその上部にある開口部から水を注入した後、開口部に上記曲管を接合する。曲管を接合した水容器を立てたまま倒立支持具にバンド等の固定具で固定する。その際、倒立支持具の支持台は曲管の上側にする。
【００１５】
倒立支持具に固定された曲管付水容器を傾けて、曲管が下方になるように徐々に倒し、水受器の中へ曲管水出口が位置するように倒立させる。
【００１６】
水容器内の水は曲管水出口から水受器へ流出し、水受器中の水により曲管水出口が水封されると水の流出は止まる。水受器にある水に加わる大気圧により水容器内の水は曲管水出口の水封が解除されるまで水容器内に留まる。
【００１７】
室内空気の乾燥度により水蒸発具のシートから水が蒸発すると、毛管現象により水受器内の水がシートへ浸透し、水受器内の水が減少して水面が下がり曲管水出口の水封が破れると、曲管水出口から水容器内の水は曲管水出口が水封されるまで水受器へ流出する。
【００１８】
倒立支持具と水受器を一体化することも有効である。この場合水受器の底が支持台になり、曲管付水容器を支柱付水受器の中で倒立させて支柱に固定する。
【考案の効果】
【００１９】
本考案の加湿器において、水容器は水の量が外部から目視で分る上部に開口を有するから水を入れるのが容易であり、水容器内の水の減少量が分り、水容器内の水が無くなるまで水を補給する必要がないから、こまめに水を補給する手間が省ける。
【００２０】
水蒸発具のシートは微細間隙を有するから空気との接触面積が大きく水が蒸発しやすい。
また、室内の相対湿度に応じて水は蒸発するから過剰な水が室内へ放出され壁が水滴で濡れるようなこともない。
【００２１】
また、電力などの動力が不要であるから省エネルギーであり、漏電などによる火災事故などが生じない。構造が簡単であり、操作が容易である。
【００２２】
曲管と水容器と水受器の組合せは鉢植えなどの植物栽培の水補給に有効である。又、曲管と小型の水受器を一体化すれば鳥の水飲器としても利用できる。
【図面の簡単な説明】
【００２３】
【図１】水容器と曲管を示す側面図
【図２】倒立支持具の斜視図
【図３】曲管付水容器に倒立支持具を固定した側面図
【図４】倒立支持具を固定した曲管付水容器を水受器内へ配置する断面図
【図５】倒立支持具を固定した曲管付水容器を水受器内へ倒立した断面図
【考案を実施するための形態】
【００２４】
以下、添付図面を参照しつつ本考案に係る加湿器の実施形態例を説明する。
図１は本発明に係る水容器と曲管を示す側面図である。図１に示すように水容器１は上方に開口部９を有する。曲管２は水容器１の開口部９とネジにより着脱可能な水入口１０と水出口１１を有する。
水は上方の開口部９より容易に水容器１へ入れる事が出来る。水容器１へ水を入れてから曲管２の水入口１０を水容器１の開口部９へ接合する。
【００２５】
図２は曲管２を接合した水容器１を倒立支持する倒立支持具の斜視図である。
倒立支持具は支柱３と支持台４から構成されており、支柱３は支持台４に固定されている。
【００２６】
図３は曲管２を接合した水容器１即ち曲管付水容器５に倒立支持具を固定した側面図である。支持台４を曲管の上にして、支持柱３を固定具６により曲管付水容器５に固定する。固定具６はバンド、紐など支柱３に曲管付水容器５を固定する物であればよい。また、支柱３にバンド等を予め取付けておくことも有効である。
【００２７】
図４は倒立支持具を固定した曲管付水容器５を水受器７内へ配置する時の断面図である。図４に於いて曲管を下方にして斜めに倒した曲管付水容器５の中の水１２は曲管内で水封されている限り流出しない。曲管付水容器５を徐々に垂直に倒立させていくと水封が破れ曲管付水容器５内の水１２が水受器７へ流れ出し、水受器７内の水面が上昇し曲管水出口１１が水封されると水の流出はとまる。水受器７内にはシート支持具１４及びシート８からなる水蒸発具が配置されている。
【００２８】
図５は倒立支持具を固定した曲管付水容器５を水受器７内に倒立した断面図である。水蒸発具のシート８の下端は水受器７内の水に浸かっており、上方は空気中に配置されている。水蒸発具のシート８へ毛管現象により水が浸透し空気の乾燥度に応じて空気中へ蒸発すると水受器７内の水面１３が下降し曲管水出口１１より空気が曲管付水容器５へ入り、水１２が水受器７へ流出して水面１３が上昇して水出口１１は水封される。
このように、毛管現象により水蒸発具のシート８へ浸透した水が室内の乾燥度に応じて蒸発するに従い、水受器７へ水容器内の水１２が無くなるまで水が補給される。
【符号の説明】
【００２９】
１    水容器
２    曲管
３    支柱
４    支持台
５    曲管付水容器
６    固定具
７    水受器
８    水蒸発具のシート
９    水容器開口部
１０    曲管水入口
１１    曲管水出口
１２    水容器内の水
１３    水受器内の水面
１４    水蒸発具のシート支持具
【図１】
0003186435.tif 000003
【図２】
0003186435.tif 000004
【図３】
0003186435.tif 000005
【図４】
0003186435.tif 000006
【図５】
0003186435.tif 000007